(57)【要約】      （修正有）【課題】偏光板の取付け角度の調整が可能で、表示切替え性能に優れた表示切替装置、及びそれを備えたスイッチ装置を提供する。【解決手段】第１の偏光方向の光を透過する第１偏光板４５と、第２の偏光方向の光を透過する第２偏光板５５と、第１偏光板４５を介して第１の偏光を第１情報提示部２０及び第２情報提示部３０に照射する第１発光部４０と、第２偏光板５５を介して第２の偏光を第１情報提示部２０及び第２情報提示部３０に照射する第２発光部５０と、第１情報提示部２０及び第２情報提示部３０が取り付けられる第１取付部と、第１情報提示部２０及び第２情報提示部３０に対して取付け角度を調節して第１偏光板４５及び第２偏光板５５が取り付けられる回転調節部を備えた第２取付部を有するホルダ部６０と、を備えて表示切替装置を構成する。【選択図】図４
2018173490.tif 000002
【特許請求の範囲】
【請求項１】
第１の偏光方向を有する第１の偏光が照射されることで情報を提示する第１情報提示部と、
前記第１情報提示部と一部分が重複するように設けられ、前記第１の偏光方向とは異なる第２の偏光方向を有する第２の偏光が照射されることで情報を提示する第２情報提示部と、
前記第１の偏光方向の光を透過する第１偏光板と、
前記第２の偏光方向の光を透過する第２偏光板と、
前記第１偏光板を介して前記第１の偏光を前記第１情報提示部及び前記第２情報提示部に照射する第１発光部と、
前記第２偏光板を介して前記第２の偏光を前記第１情報提示部及び前記第２情報提示部に照射する第２発光部と、
前記第１情報提示部及び前記第２情報提示部が取り付けられる第１取付部と、前記第１情報提示部及び前記第２情報提示部に対して取付け角度を調節して前記第１偏光板及び前記第２偏光板が取り付けられる回転調節部を備えた第２取付部を有するホルダ部と、
を有する表示切替装置。
【請求項２】
前記第１情報提示部及び前記第２情報提示部のそれぞれは、対応する偏光方向を有した偏光部と、前記偏光部の各々における偏光方向が解除され、提示すべき情報が現された提示部とを備え、前記提示部は一部において前記提示すべき情報が共通である、請求項１に記載の表示切替装置。
【請求項３】
前記ホルダ部は、前記第１取付部において前記第１情報提示部及び前記第２情報提示部の側面部の一部と当接する位置決め部を有し、前記第２取付部において前記第１偏光板及び前記第２偏光板にそれぞれ設けられた回転中心穴部をそれぞれ軸支するボス部を、前記回転調節部として有する、請求項１又は２に記載の表示切替装置。
【請求項４】
請求項１から３のいずれか１項に記載の表示切替装置と、
前記第１情報提示部及び前記第２情報提示部が設けられ、前記ホルダ部と一体的に構成された操作部と、
前記操作部への操作により動作状態が切り替えられるスイッチ部と、を有し、
前記スイッチ部は筒状のケースの端部に配置され、前記操作部が前記ケースの軸方向に沿って移動して前記スイッチ部における動作状態を切り替える、スイッチ装置。
【発明の詳細な説明】
【技術分野】
【０００１】
本発明は、表示切替装置、及びこの表示切替装置を備えたスイッチ装置に関する。
【背景技術】
【０００２】
従来の技術として、隔壁で仕切られたケースに配置され、２つの光源と、各光源からの光の互いに直交する特定方向の偏光をそれぞれ通過させる２つの光源偏光板と、各光源偏光板を通過した光の各々の偏光方向を有する偏光板にて形成され、提示する情報としてマーク等の意匠を形成する意匠偏光板とを備え、２つの光源の発光を切り替えることで提示する情報を切り替える表示切替装置が知られている（例えば、特許文献１参照）。
【０００３】
この表示切替装置によれば、相異なるマーク等の意匠を表示切替えできるものであるため、表示面のスペースが少なくてすみ、従来の同一目的の表示切替灯に比較して簡単な構成で明瞭な表示が得られるとされている。
【先行技術文献】
【特許文献】
【０００４】
【特許文献１】実公昭６１−２５００２号公報
【発明の概要】
【発明が解決しようとする課題】
【０００５】
特許文献１の表示切替装置では、光源偏光板を通過する特定方向に偏光した光が、それぞれの意匠偏光板の偏光方向と平行か直交するかにより透過するか、又は遮光されるかにより２種類のマーク等の意匠の表示を切り替える。しかし、光源偏光板、意匠偏光板の取付け角度によって偏光軸ずれが生じると、表示されるべきでないマーク等の意匠が表示されることにより、表示性能が低下するという問題があった。
【０００６】
したがって、本発明の目的は、偏光板の取付け角度の調整が可能で、表示切替え性能に優れた表示切替装置、及びそれを備えたスイッチ装置を提供することにある。
【課題を解決するための手段】
【０００７】
［１］上記目的を達成するため、第１の偏光方向を有する第１の偏光が照射されることで情報を提示する第１情報提示部と、前記第１情報提示部と一部分が重複するように設けられ、前記第１の偏光方向とは異なる第２の偏光方向を有する第２の偏光が照射されることで情報を提示する第２情報提示部と、前記第１の偏光方向の光を透過する第１偏光板と、前記第２の偏光方向の光を透過する第２偏光板と、前記第１偏光板を介して前記第１の偏光を前記第１情報提示部及び前記第２情報提示部に照射する第１発光部と、前記第２偏光板を介して前記第２の偏光を前記第１情報提示部及び前記第２情報提示部に照射する第２発光部と、前記第１情報提示部及び前記第２情報提示部が取り付けられる第１取付部と、前記第１情報提示部及び前記第２情報提示部に対して取付け角度を調節して前記第１偏光板及び前記第２偏光板が取り付けられる回転調節部を備えた第２取付部を有するホルダ部と、を有する表示切替装置を提供する。
【０００８】
［２］前記第１情報提示部及び前記第２情報提示部のそれぞれは、対応する偏光方向を有した偏光部と、前記偏光部の各々における偏光方向が解除され、提示すべき情報が現された提示部とを備え、前記提示部は一部において前記提示すべき情報が共通である、上記［１］に記載の表示切替装置であってもよい。
【０００９】
［３］また、前記ホルダ部は、前記第１取付部において前記第１情報提示部及び前記第２情報提示部の側面部の一部と当接する位置決め部を有し、前記第２取付部において前記第１偏光板及び前記第２偏光板にそれぞれ設けられた回転中心穴部をそれぞれ軸支するボス部を、前記回転調節部として有する、上記［１］又は［２］に記載の表示切替装置であってもよい。
【００１０】
［４］また、上記［１］から［３］のいずれかに記載の表示切替装置と、前記第１情報提示部及び前記第２情報提示部が設けられ、前記ホルダ部と一体的に構成された操作部と、前記操作部への操作により動作状態が切り替えられるスイッチ部と、を有し、前記スイッチ部は筒状のケースの端部に配置され、前記操作部が前記ケースの軸方向に沿って移動して前記スイッチ部における動作状態を切り替える、スイッチ装置であってもよい。
【発明の効果】
【００１１】
本発明の表示切替装置によれば、偏光板の取付け角度の調整が可能で、表示切替え性能に優れた表示切替装置、及びそれを備えたスイッチ装置を提供することができる。
【図面の簡単な説明】
【００１２】
【図１】図１は、本発明の実施の形態に係るスイッチ装置の分解斜視図である。
【図２】図２（ａ）は、本発明の実施の形態に係るスイッチ装置の上平面図であり、図２（ｂ）は、図２（ａ）のＡ−Ａ断面を示す断面図である。
【図３】図３（ａ）は、第１情報提示部の上平面図、図３（ｂ）は、図３（ａ）の断面図、図３（ｃ）は、第２情報提示部の上平面図、図３（ｄ）は、図３（ｃ）の断面図である。
【図４】図４は、本発明の実施の形態に係るスイッチ装置の第１偏光板及び第２偏光板の取付け角度の調節を説明するための分解斜視図である。
【図５】図５（ａ）は、第１発光部を発光させた場合に第１表示マーク部が表示される状態を示す上平面図であり、図５（ｂ）は、第１発光部から照射した光の経路を示す断面図である。
【図６】図６（ａ）は、第２発光部を発光させた場合に第２表示マーク部が表示される状態を示す上平面図であり、図６（ｂ）は、第２発光部から照射した光の経路を示す断面図である。
【発明を実施するための形態】
【００１３】
（本発明の実施の形態）
本発明の実施の形態に係る表示切替装置は、第１の偏光方向を有する第１の偏光が照射されることで情報を提示する第１情報提示部２０と、第１情報提示部２０と一部分が重複するように設けられ、第１の偏光方向とは異なる第２の偏光方向を有する第２の偏光が照射されることで情報を提示する第２情報提示部３０と、第１の偏光方向の光を透過する第１偏光板４５と、第２の偏光方向の光を透過する第２偏光板５５と、第１偏光板４５を介して第１の偏光を第１情報提示部２０及び第２情報提示部３０に照射する第１発光部４０と、第２偏光板５５を介して第２の偏光を第１情報提示部２０及び第２情報提示部３０に照射する第２発光部５０と、第１情報提示部２０及び第２情報提示部３０が取り付けられる第１取付部と、第１情報提示部２０及び第２情報提示部３０に対して取付け角度を調節して第１偏光板４５及び第２偏光板５５が取り付けられる回転調節部を備えた第２取付部を有するホルダ部６０と、を備えている。
【００１４】
さらに、第１情報提示部２０及び第２情報提示部３０が設けられてホルダ部６０と一体的に構成された操作部１０と、操作部１０への操作により動作状態が切り替えられるスイッチ部９２と、を有し、スイッチ部９２は筒状のケース７０の端部に配置され、操作部１０がケース７０の軸方向に沿って移動してスイッチ部９２における動作状態を切り替える、スイッチ装置１として機能する。以下では、このスイッチ装置１の構成について説明する。
【００１５】
（操作部１０）
操作部１０は、図１、図２（ａ）、（ｂ）に示すように、押圧操作が行われるノブ部１１と、ノブ部１１に装着される拡散板１５、第１情報提示部２０、第２情報提示部３０を収容する凹部である収容部１２を備えている。ノブ部１１は、例えば、樹脂で形成され、スモーク仕様とされている。
【００１６】
操作部１０は、図２（ａ）、（ｂ）に示すように、操作（押圧操作）する側から見ると、その操作面１３は、押圧操作するための操作面であると共に、スイッチ等に関する情報を提示あるいは表示するための表示面である。以下、操作面１３を表示面と同視して説明する。
【００１７】
操作面１３には、図２（ａ）に示すように、表示領域がいくつかの領域に区分されて、マーク、文字等の図形が提示、表示される。以下では、マーク、文字等の図形の提示の一形態として、マーク、文字等の図形の表示として説明する。
【００１８】
操作面１３に表示されるマーク、文字等の図形は、後述する第１情報提示部２０、第２情報提示部３０に形成されたそれぞれの偏光部と透過部との組み合わせにより、後述する第１発光部４０と第２発光部５０の発光切り替え制御に基づいて、表示される。なお、この表示は、上記した拡散板１５を通して表示されることにより均一な光で照明表示されるが、拡散板１５のない構成であってもよい。また、ノブ部１１は、スモーク仕様とされているので、第１発光部４０等により照明表示されていないときは、ブラックアウトした状態である。
【００１９】
図２（ａ）に示すように、共通部１０１は、第１発光部４０と第２発光部５０の両方の光を透過して表示する領域、すなわち、後述する偏光部の各々における偏光方向が解除され、提示すべき情報が現された提示部である。この共通部１０１は、第１情報提示部２０と第２情報提示部３０の一部分が重複するように設けられており、第１発光部４０の発光による表示と第２発光部５０の発光による表示において、共通に表示される領域である。
【００２０】
第１領域１０２は、第１発光部４０からの光のみが透過し、第２発光部５０からの光は透過しない領域、すなわち、対応する偏光方向を有した偏光部である。図２（ａ）において、横方向のハッチングで示す領域である。また、第２領域１０３は、第２発光部５０からの光のみが透過し、第１発光部４０からの光は透過しない領域、すなわち、対応する偏光方向を有した偏光部である。図２（ａ）において、縦方向のハッチングで示す領域である。また、非表示領域１０４は、第１発光部４０及び第２発光部５０のどちらからの光も透過しない領域である。図２（ａ）において、縦横方向のクロスハッチングで示す領域である。なお、さらに外側の枠部１０５も非表示領域である。
【００２１】
操作面１３には、上記示した共通部１０１、第１領域１０２、第２領域１０３、及び非表示領域１０４の組み合わせにより形成される所定のマーク、文字等の図形が表示される。なお、光の透過、不透過は、所定のマーク、文字等の図形が表示される程度であればよく、透過率が１００％、不透過率が１００％である必要はない。また、非表示領域１０４は、第１情報提示部２０又は第２情報提示部３０の対応する領域に例えば黒塗装等により不透過領域が形成されていてもよい。
【００２２】
図２（ｂ）に示すように、操作部１０は、Ｐ方向の押圧操作が可能なスイッチ機構を有して構成されている。操作部１０の下部はホルダ部６０に固定されている。操作部１０とホルダ部６０は一体的に上下方向に移動可能とされている。
【００２３】
（第１情報提示部２０）
第１情報提示部２０は、板状の偏光板で形成され、提示フィルタとして機能する。この第１情報提示部２０は、例えば、偏光機能を有する偏光層の上下をそれぞれ保護する保護フイルムで挟んだ偏光板である。
【００２４】
この第１の偏光方向２３ａと同じ方向に直線偏光された光は、透過しない。また、この第１の偏光方向２３ａと直交する方向（第２の偏光方向２３ｂ）に直線偏光された光は、透過する。
【００２５】
なお、図３（ａ）に示す第１透過部２２は、偏光特性を消失させた領域である。これにより、第１透過部２２は、偏光状態によらずに光を透過させることができる。
【００２６】
第１情報提示部２０は、図３（ａ）、（ｂ）に示すように、第１の偏光方向２３ａに偏光された直線偏光の光を透過させない第１偏光部２１と、偏光状態によらずに光を透過させる第１透過部２２の領域を有して構成されている。したがって、第１情報提示部２０は、提示フィルタとして機能する。この第１偏光部２１と第１透過部２２の形状は、後述する第２情報提示部３０との組み合わせにより、所定のマーク、文字等の図形を表示することができる。
【００２７】
（第２情報提示部３０）
第２情報提示部３０も、第１情報提示部２０と同様の構成により、板状の偏光板で形成され、提示フィルタとして機能する。第２情報提示部３０は、操作部１０において第１情報提示部２０と一部分が重複するように設けられている。ここで、第１の偏光方向２３ａと第２の偏光方向２３ｂは、直交する。
【００２８】
第２情報提示部３０は、図３（ｃ）、（ｄ）に示すように、第２の偏光方向２３ｂに偏光された直線偏光の光を透過させない第２偏光部３１と、偏光状態によらずに光を透過させる第２透過部３２の領域を有して構成されている。したがって、第２情報提示部３０は、提示フィルタとして機能する。この第２偏光部３１と第２透過部３２の形状は、上記した第１情報提示部２０との組み合わせにより、所定のマーク、文字等の図形を表示することができる。
【００２９】
（第１発光部４０）
第１発光部４０は、例えば、レーザ光、ＬＥＤ光等が使用できる。例えば、レーザ光の場合は特定の方向に偏光成分を有するように偏光方向を調整し、また、ＬＥＤ光等では特定の方向に偏光成分を有するように出射部に偏光素子を配置する。本実施の形態では、第１発光部４０としてＬＥＤ光源を使用し、出射部に第１偏光板４５を配置している。
【００３０】
第１発光部４０は、ホルダ部６０に取り付けられた第１偏光板４５を通して、図３（ａ）に示す第１の偏光方向２３ａに偏光方向を有する光を出射する。第１発光部４０から第１偏光板４５を通して出射される光は、第２情報提示部３０の全領域及び第１情報提示部２０の第１透過部２２を透過することができる。
【００３１】
（第１偏光板４５）
第１偏光板４５は、図１に示すように、第１発光部４０からの光のうち、第１の偏光方向２３ａのみを透過させる偏光板である。第１偏光板４５は、後述するホルダ部６０の光源側の開口部６６において、第１の偏光方向２３ａが最適となるように回転調節されて固定される。図１に示すように、第１偏光板４５には、この回転調節時の回転中心となる回転中心穴部４５ａが形成されている。この回転中心穴部４５ａは、回転調節部として機能する。
【００３２】
（第２発光部５０）
第２発光部５０は、例えば、レーザ光、ＬＥＤ光等が使用できる。例えば、レーザ光の場合は特定の方向に偏光成分を有するように偏光方向を調整し、また、ＬＥＤ光等では特定の方向に偏光成分を有するように出射部に偏光素子を配置する。本実施の形態では、第２発光部５０としてＬＥＤ光源を使用し、出射部に第２偏光板５５を配置している。
【００３３】
第２発光部５０は、ホルダ部６０に取り付けられた第２偏光板５５を通して、図３（ｃ）に示す第２の偏光方向２３ｂに偏光方向を有する光を出射する。したがって、第２発光部５０から第２偏光板５５を通して出射される光の偏光方向は、第１発光部４０から第１偏光板４５を通して出射される光の偏光方向と直交する。第２発光部５０から第２偏光板５５を通して出射される光は、第２情報提示部３０の第２透過部３２及び第１情報提示部２０の全領域を透過することができる。
【００３４】
（第２偏光板５５）
第２偏光板５５は、図１に示すように、第２発光部５０からの光のうち、第２の偏光方向２３ｂのみを透過させる偏光板である。第２偏光板５５は、後述するホルダ部６０の光源側の開口部６６において、第２の偏光方向２３ｂが最適となるように回転調節されて固定される。図１に示すように、第２偏光板５５には、この回転調節時の回転中心となる回転中心穴部５５ａが形成されている。この回転中心穴部５５ａは、回転調節部として機能する。
【００３５】
（ホルダ部６０）
ホルダ部６０は、図１、図２（ａ）、（ｂ）に示すように、第１発光部４０及び第２発光部５０からの光が通過する空洞部６３を有する筒状に形成されている。ホルダ部６０の外周部６１は、筒状のケース７０の内周部７１とスライド可能に嵌合している。ホルダ部６０の筒状の内部は、第１発光部４０からの光、第２発光部５０からの光が通過できるように空洞部６３が形成されている。
【００３６】
図２（ｂ）に示すように、ホルダ部６０は、ケース７０の底面に固定された基板９５との間に配置されたバネ８０により、弾性力により上下方向に支持されている。これにより、Ｐ方向の押圧操作により、ホルダ部６０の下部に設けられたプッシャ８５が、基板９５に実装されたスイッチ部９２を動作させる。スイッチ部９２は、筒状のケースの端部に配置され、操作部１０がケース７０の軸方向に沿って移動することにより、スイッチ部９２における動作状態（例えば、オン又はオフ状態）が切り替えられる。このように、図２（ａ）、（ｂ）で示す操作部１０、ケース７０等を備える構成はスイッチ装置として機能し、特に、表示切替え可能な操作部を備えたスイッチ装置として機能する。
【００３７】
（第１情報提示部２０、第２情報提示部３０のホルダ部６０への取り付け）
ホルダ部６０の意匠側の開口部には、図１、図２（ｂ）に示すように、意匠側位置決め段部６４が設けられている。意匠側位置決め段部６４は、図２（ｂ）に示すように、第１情報提示部２０及び第２情報提示部３０が重ねて取付け可能となる段部である。この意匠側位置決め段部６４は、図２（ｂ）のＢ方向から見ると、図１に示すように、右側面の段部６４ａと上側面の段部６４ｂによりＬ字型に形成されている。
【００３８】
右側面の意匠側位置決め段部６４ａは、第１情報提示部２０及び第２情報提示部３０を重ねて取付ける場合の取付角度の基準となる。すなわち、意匠側位置決め段部６４において、右側面の段部６４ａが意匠側段部基準側面であって、位置決め部とされる。
【００３９】
一方、図３（ｂ）で示した第１情報提示部２０は、第１の偏光方向２３ａと所定の角度（図３（ｂ）では平行）となる第１情報提示部基準側面２０ａを有している。また、図３（ｄ）で示した第２情報提示部３０は、第２の偏光方向２３ｂと所定の角度（図３（ｄ）では直角）となる第２情報提示部基準側面３０ａを有している。
【００４０】
図１、図２（ｂ）に示すように、第１情報提示部２０及び第２情報提示部３０は、第１情報提示部基準側面２０ａ及び第２情報提示部基準側面３０ａが位置決め部（段部６４ａ）に当接した状態でホルダ部６０に固定される。これにより、第１の偏光方向２３ａ及び第２の偏光方向２３ｂは、ホルダ部６０に固有の方向となる。
【００４１】
（第１偏光板４５、第２偏光板５５のホルダ部６０への取り付け）
ホルダ部６０の光源側の開口部には、図１、図２（ｂ）、に示すように、光源側の開口部６６が設けられている。開口部６６は、図１、図２（ｂ）に示すように、第１偏光板４５と第２偏光板５５が偏光角調節後に取付けられる開口端部である。
【００４２】
開口部６６には、図１、図２（ｂ）に示すように、第１偏光板４５の回転中心穴部４５ａと回転可能に嵌合するボス部２０１が突設されている。また、開口部６６には、第２偏光板５５の回転中心穴部５５ａと回転可能に嵌合するボス部２０２が突設されている。このボス部２０１、２０１は、それぞれ、第１偏光板４５の回転中心穴部４５ａ及び第２偏光板５５の回転中心穴部５５ａに対応して、回転調節部として機能する。
【００４３】
（第１偏光板４５、第２偏光板５５のホルダ部６０への取り付け工程）
図４に示す、本発明の実施の形態に係るスイッチ装置の第１偏光板及び第２偏光板の取付け角度の調節を説明するための分解斜視図により、第１偏光板４５、第２偏光板５５のホルダ部６０への取り付け工程を説明する。なお、図４に示したスイッチ装置は、調節の都合により横置き配置としてもよい。
【００４４】
（第１情報提示部２０、第２情報提示部３０のホルダ部６０への取り付け）
上記した、第１情報提示部２０、第２情報提示部３０のホルダ部６０への取り付けの項の手順により、第１情報提示部２０、第２情報提示部３０をホルダ部６０の意匠側位置決め段部６４に固定する。この固定は、例えば、第１情報提示部２０及び第２情報提示部３０を意匠側位置決め段部６４に接着する。
【００４５】
（第１偏光板４５、第２偏光板５５のホルダ部６０へのセット、仮組）
第１偏光板４５の回転中心穴部４５ａをボス部２０１に差し込む。また、第２偏光板５５の回転中心穴部５５ａをボス部２０２に差し込む。この状態で、第１偏光板４５、第２偏光板５５がそれぞれ回転調節可能な程度に仮固定する。例えば、図示しない爪部により仮固定することができる。
【００４６】
（輝度測定の準備）
図４に示すように、第１情報提示部２０、第２情報提示部３０側に、輝度測定用のカメラ３００をセットする。この輝度測定用のカメラは、第１発光部４０及び第２発光部５０の出射波長に感度を有するＣＣＤ等を備えるデジタルカメラを使用する。また、非表示マーク部の輝度をスポット測定できるズーム機能を備えたものを使用する。
【００４７】
（第１偏光板４５、第２偏光板５５の角度調節）
第１偏光板４５を回転中心穴部４５ａ（ボス部２０１）を中心にして、図４で示すＲ１の方向に回転調節させる。このとき、第１発光部４０又は第２発光部５０のいずれか一方の光（Ｌ１又はＬ２）を発光させて操作面１３にマークを表示させる。カメラ３００により非表示マーク部の輝度を測定しながら、第１発光部４０の回転調節を行なう。第２偏光板５５の場合も同様に、第２偏光板５５を回転中心穴部５５ａ（ボス部２０２）を中心にして、図４で示すＲ２の方向に回転させ、カメラ３００により非表示マーク部の輝度を測定しながら回転調節を行なう。
【００４８】
（第１偏光板４５、第２偏光板５５の固定）
上記の回転調節を、第１偏光板４５と第２偏光板５５のそれぞれについて行なう。カメラ３００による非表示マーク部の輝度が所定の判定値以下になった回転位置において、第１偏光板４５、第２偏光板５５を、例えば、接着剤等により固定する。
【００４９】
上記示した調節工程、組み込み工程により、第１偏光板４５、第２偏光板５５のホルダ部６０への取り付けが完了する。これにより、第１の偏光方向２３ａ、第２の偏光方向２３ｂは、ホルダ部６０に固有の方向となる。
【００５０】
上記説明したように、ホルダ部６０の第１取付部６５（意匠側の開口部）に第１情報提示部２０及び第２情報提示部３０が所定の偏光角度で重ねて取付けられ、ホルダ部６０の光源側の開口部６６には、第１偏光板４５と第２偏光板５５が所定の偏光角度で並べて取付けられる。すなわち、同一部品（ホルダ部６０）に第１情報提示部２０及び第２情報提示部３０、第１偏光板４５、第２偏光板５５が、それぞれ所定の偏光角度で取付けられる。したがって、ホルダ部６０の姿勢によって、意匠側（第１情報提示部２０、第２情報提示部３０）と光源側（第１偏光板４５、第２偏光板５５）の偏光方向が影響を受けることがない。
【００５１】
（第１表示マーク部の表示）
第１発光部４０を発光させると、図５（ｂ）に示すように、第１発光部４０から第１偏光板４５を通して第１の偏光方向２３ａに偏光方向を有する光が出射させる。この光は、第１情報提示部２０及び第２情報提示部３０に照射される。この光は、第１の偏光方向２３ａに偏光方向を有するので、第２情報提示部３０の全領域及び第１情報提示部２０の第１透過部２２を透過する。したがって、図２（ａ）で示した共通部１０１と第１領域１０２を合わせた第１表示マーク部２５が図５（ａ）に示すように表示される。第１表示マーク部２５以外の領域は、図２（ａ）で示した第２領域１０３と非表示領域１０４と枠部１０５を合わせた第１非表示マーク部２６として表示されない、すなわち、ブラックアウトの状態となる。
【００５２】
（第２表示マーク部の表示）
第２発光部５０を発光させると、図６（ｂ）に示すように、第２発光部５０から第２偏光板５５を通して第２の偏光方向２３ｂに偏光方向を有する光が出射させる。この光は、第１情報提示部２０及び第２情報提示部３０に照射される。この光は、第２の偏光方向２３ｂに偏光方向を有するので、第２情報提示部３０の第２透過部３２及び第１情報提示部２０の全領域を透過する。したがって、図２（ａ）で示した共通部１０１と第２領域１０３を合わせた第２表示マーク部３５が図６（ａ）に示すように表示される。第２表示マーク部３５以外の領域は、図２（ａ）で示した第１領域１０２と非表示領域１０４と枠部１０５を合わせた第２非表示マーク部３６として表示されない、すなわち、ブラックアウトの状態となる。
【００５３】
（実施の形態の効果）
本発明の実施の形態によれば、以下のような効果を有する。
（１）本実施の形態に係るスイッチ装置１は、第１偏光板４５を回転中心穴部４５ａ（ボス部２０１）を中心にして、図４で示すＲ１の方向に回転調節させながら、カメラ３００による非表示マーク部の輝度が所定の判定値以下になった回転位置において、第１偏光板４５を、例えば、接着剤等により固定する。第２偏光板５５の回転調節、固定も同様である。カメラにより輝度測定しながら回転調節を行なうので、非表示マーク部の輝度が所定の判定値以下となり、表示性能に優れた表示切替装置及びそれを備えたスイッチ装置が可能となる。
（２）上記のことから、検査工程を含めた自動化によりＮＧ品の発生が低減できる。また、ＮＧ品の発生が低減することによりロスコストが低減できる。また、標準モジュール化による設備費低減が可能となる。また、製品の組み立て工程が簡素化できる、等の効果が期待できる。
（３）本実施の形態に係るスイッチ装置１は、ノブ部１１の操作面１３に表示マーク部が切り替え表示できるので、例えば、スイッチ装置のオンオフ動作の内容に応じて表示内容を切り替えできる。また、この切り替え可能な内容表示は、非表示マーク見えが改善された高性能な表示であるので、スイッチ装置１のスイッチ操作時の操作性が向上する。
（４）本実施の形態は、表示切り替え機能を有するスイッチ装置として使用できると共に、スイッチ機能を有しない表示切り替え装置として使用することも可能である。
【００５４】
以上、本発明のいくつかの実施の形態を説明したが、これらの実施の形態は、一例に過ぎず、特許請求の範囲に係る発明を限定するものではない。また、これら新規な実施の形態は、その他の様々な形態で実施されることが可能であり、本発明の要旨を逸脱しない範囲で、種々の省略、置き換え、変更等を行うことができる。
【００５５】
例えば、第１偏光板４５の角度調節において、第１偏光板４５を回転中心穴部４５ａ（ボス部２０１）を中心にして回転させる方式としたが、回転調節部は他の方式も使用可能である。回転調節部の他の例として、第１偏光板４５をホルダ部６０に対して相対的に回転可能な治具にセットして、この治具により第１偏光板４５を回転させながら角度調節を行なうことも可能である。第２偏光板５５の角度調節においても同様である。
【００５６】
また、これら実施の形態の中で説明した特徴の組合せの全てが発明の課題を解決するための手段に必須であるとは限らない。さらに、これら実施の形態は、発明の範囲及び要旨に含まれるとともに、特許請求の範囲に記載された発明とその均等の範囲に含まれる。
【符号の説明】
【００５７】
１…スイッチ装置、１０…操作部、１１…ノブ部、１２…収容部、１３…操作面、１５…拡散板、２０…第１情報提示部、２０ａ…第１情報提示部基準側面、２１…第１偏光部、２２…第１透過部、２３ａ…第１の偏光方向、２３ｂ…第２の偏光方向、２５…第１表示マーク部、２６…第１非表示マーク部、３０…第２情報提示部、３０ａ…第２情報提示部基準側面、３１…第２偏光部、３２…第２透過部、３５…第２表示マーク部、３６…第２非表示マーク部、４０…第１発光部、４５…第１偏光板、４５ａ…回転中心穴部、５０…第２発光部、５５…第２偏光板、５５ａ…回転中心穴部、６０…ホルダ部、６１…外周部、６３…空洞部、６４…意匠側位置決め段部、６５…第１取付部、６６…開口部、７０…ケース、７１…内周部、８０…バネ、８５…プッシャ、９２…スイッチ部、９５…基板、１０１…共通部、１０２…第１領域、１０３…第２領域、１０４…非表示領域、１０５…枠部
【図１】
2018173490.tif 000003
【図２】
2018173490.tif 000004
【図３】
2018173490.tif 000005
【図４】
2018173490.tif 000006
【図５】
2018173490.tif 000007
【図６】
2018173490.tif 000008